(57)【要約】      （修正有）【課題】容器の構造が単純でケースと一緒に収納袋に入れていても彫刻刀の刃先が目視出来、使い勝手が良く、安価な彫刻刀収納ケースを開発・提供する事にある。【解決手段】ケース本体１と収納袋２から成り、且つ、該ケース本体先端部に彫刻刀刃先部を収容する複数の刃先収容部と、ケース本体ほぼ中央部に複数の彫刻刀を円滑に収納可能にする柄係止部１ｂを設け、且つ、該収納袋は上部表裏を係止部材Ｆで係止し、上部表側裏面部に図解表示図を挿着して設け、且つ、該収納袋の上側裏面部に複数の彫刻刀の種類を明記した表示図を表示し、彫刻刀の選択使用例を図解で表示し区別し易くした表示図を設け、且つ、彫刻刀使用時に収納袋の開口袋部２ａ，２ａ’を開き、裏返時、彫刻刀の最適使用方法を表示した表示図が目視出来、且つ、収納袋の底部には、収納袋が安定して直立可能にする為の補強部材付底面部２ｃを設け、彫刻刀の刃先を目視しながら横向き、傾斜、縦向き使用を可能にした。【選択図】図４
0003113836.tif 000002
【実用新案登録請求の範囲】
【請求項１】
先端を閉塞し、後端を開口可能に形成した箱形状のケース本体（１）と、ケース本体を収納する収納袋（２）から成り、且つ、該ケース本体（１）の先端部には彫刻刀（Ｓ）の刃先（ＳＡ）部を収容する複数の刃先収容部（１ａ）と、ケース本体（１）のほぼ中央部には複数の彫刻刀（Ｓ）を円滑に収納可能にする柄（ＳＢ）係止部（１ｂ）を設け、且つ、該収納袋（２）は上部表裏を係止部材（Ｆ）で係止し、上部表側裏面部に図解表示図を挿着して設け、且つ、該収納袋（２）の上側裏面部に複数の彫刻刀の種類を明記した表示図（２ｄ）を表示し、彫刻刀の選択使用例を図解で表示し区別し易くした表示図（ＳＥ２）を設け、且つ、彫刻刀使用時に収納袋（２）の開口袋部（２ａ）（２ａ’）を開き、裏返しにした際、彫刻刀の最適使用方法を表示した表示図（ＳＥ２）が目視出来、且つ、収納袋（２）の底部には、ケースを入れた収納袋が安定して直立可能にする為の補強部材（２ｃ’）付底面部（２ｃ）を設け、彫刻刀（Ｓ）の刃先（ＳＡ）を目視しながら横向き使用、傾斜使用、縦向き使用を可能にした事を特徴とする彫刻刀収納ケース。
【請求項２】
ケース本体（１）の後端に設けた蓋部（１’）は、ヒンジ部（１ｃ）を中心にして水平状態から下向きほぼ９０度に開口可能で、且つ、水平時は蓋（１’）の両端部に設けた爪部（１ｇ）（１ｇ）をケース本体（１）両端に設けた下突起部（１ｄ’）にそれぞれ固定して水平を保持し、蓋（１’）の中央部に設けたストッパー（１ｈ）をケース本体（１）の底板上面に固定し、且つ、下向きほぼ９０度に開口時は、蓋（１’）の両端部に設けた爪部（１ｇ）（１ｇ）をケース本体（１）両端に設けた上突起部（１ｄ）にそれぞれ固定する事で、収納時及び使用時に蓋を確実に固定させて安定性を高めた事を特徴とする請求項１記載の彫刻刀収納ケース。
【考案の詳細な説明】
【技術分野】
【０００１】
この考案は、主に学童等が使用する刃先形状の異なる彫刻刀を複数本並べて収容する彫刻刀収納ケースに関するものである。
【背景技術】
【０００２】
従来、工芸に使用される彫刻刀は、刃先形状の異なる複数本で構成され、これら複数本の彫刻刀は、纏めて一つの収納容器に収納されて安全に保管され、携行されている。この様な彫刻刀収納容器は、通常、容器部及び蓋部により構成されている。（特許文献１参照。）そして、容器部に収納された彫刻刀は、保管時或いは携行時には、蓋で覆われて安全に保管或いは携行され、使用時には蓋が外されて使用する彫刻刀が引出されている。
【０００３】
特許文献１の［００１０］〜［００１５］及び［図６］〜［図１１］において、彫刻刀収納容器（特許文献１の「収納ケース２」）は、容器部（同じく「ケース本体１０」）及び蓋部（同じく「蓋部１１」）により構成されている。容器部の開口部両側面にはガイド片（同じく「ガイド片１３」）が延出して形成され、その中央長手方向にガイド孔（同じく「ガイド孔１４」）がガイド片を貫通して構成されている。
【０００４】
前記蓋部は前記容器部の開口部に嵌合する嵌合部（同じく「嵌合部１８」）と、嵌合部の両側面から延出して形成されたアーム部（同じく「アーム部１９」）とにより構成されている。更に、アーム部の先端部内側面に突出して軸（同じく「軸１２」）が形成されている。軸は前記ガイド片のガイド孔に嵌合され、ガイド孔に沿ってスライド可能に構成されている。
【０００５】
以上の様に構成された彫刻刀収納容器は以下の様に使用されている。まず、収納状態から彫刻刀を使用する場合は、嵌合部が容器部の開口部に嵌合している蓋部を容器部から引き離す。この操作により、アーム部の軸がガイド片のガイド孔に沿ってスライドしながら蓋部が容器部から引き離される。引き離されてアーム部の軸がガイド孔の先端に達した時点で、蓋部は軸を中心として下方向へ回転可能となり、回転により蓋部を折り曲げる。この操作により、容器部の開口部が開放され、収納されている彫刻刀が自由に取り出し可能になる。又、折れ曲がった蓋部を支持部として机上等に置く事により、容器部の開口部が斜め上向きに開口する事により、彫刻刀の引き出しが容易になる。
【０００６】
次に、使用後の彫刻刀を収納する場合は、取り出された彫刻刀を容器部に収納し、軸を中心として蓋部を回転して折れ曲がった蓋部を容器部と直線状になる様に戻し、軸をガイド孔に沿ってスライドさせながら蓋部を容器部へ押し戻し、嵌合部を開口部に嵌合させて蓋部を容器部へ蓋をする事により、この様な収納状態で、彫刻刀は安全に保管され、或いは携行されている。
【０００７】
従来の彫刻刀収納容器は以上の様に構成されていた為、次の様な問題が存在していた。即ち、蓋部をスライドさせる場合に滑らかにスライドしない場合があった。彫刻刀収納容器の様な製品は高価な精密加工製品ではない。従って、容器部の開口部両側面の延出部に構成されるスライド機構部において、スライド部材間には余裕のある適宜の隙間が設けられ、潤滑等の考慮は払われていない。このようなスライド機構部を両側に構成された彫刻刀収納容器において、蓋部を引き離し、或いは押し戻しする際は、容器部と蓋部とを直線状に配置するとともに、直線状に操作する必要がある。
【０００８】
しかし、気持ちが焦っている場合、或いは安易な気持ちで蓋部を開閉しようとすると、容器部と蓋部とを直線状に配置されていない状態で操作したり、斜めに操作する場合が多々発生する。この様な場合、蓋部の開閉に手間取ったり、滑らかでない状態で強引に操作して、彫刻刀収納容器の一部を損傷する場合があった。
【０００９】
又、上記の彫刻刀収納容器は構造的に豪華でコスト面での課題が残り、又、彫刻刀の刃先が目視出来ない為、使い勝手が悪い為、更に構造の簡素化を図り、且つ、使い勝手の良いものが求められている。
【特許文献１】実用新案登録第２５７６６９４号公報
【考案の開示】
【考案が解決しようとする課題】
【００１０】
そこで、上記課題を解決する為に、この考案は容器の構造が単純でケースと一緒に収納袋に入れていても、彫刻刀の刃先が目視出来、使い勝手が良く、安価な彫刻刀収納ケースを開発・提供する事にある。
【課題を解決するための手段】
【００１１】
この課題を解決する為の手段として、先端を閉塞し、後端を開口可能に形成した箱形状のケース本体と、ケース本体を収納する収納袋から成り、且つ、該ケース本体の先端部には彫刻刀の刃先部を収容する複数の刃先収容部と、ケース本体のほぼ中央部には複数の彫刻刀を円滑に収納可能にする柄係止部を設け、且つ、該収納袋は上部表裏を係止部材で係止し、上部表側裏面部に図解表示図を挿着して設け、且つ、該収納袋の上側裏面部に複数の彫刻刀の種類を明記した表示図を表示し、彫刻刀の選択使用例を図解で表示し区別し易くした表示図を設け、且つ、彫刻刀使用時に収納袋の開口袋部を開き、裏返しにした際、彫刻刀の最適使用方法を表示した表示図が目視出来、且つ、収納袋の底部には、ケースを入れた収納袋が安定して直立可能にする為の補強部材付底面部を設け、彫刻刀の刃先を目視しながら横向き使用、傾斜使用、縦向き使用を可能にしたものである。
【００１２】
又、ケース本体の後端に設けた蓋部は、ヒンジ部を中心にして水平状態から下向きほぼ９０度に開口可能で、且つ、水平時は蓋の両端部に設けた爪部をケース本体両端に設けた下突起部にそれぞれ固定し、蓋の中央部に設けたストッパーをケース本体の底板上面に固定して水平を保持し、且つ、下向きほぼ９０度に開口時は、蓋の両端部に設けた爪部をケース本体両端に設けた上突起部にそれぞれ固定する事で、収納時及び使用時に蓋を確実に固定させて安定性を高めたものである。
【考案の効果】
【００１３】
この考案の効果として、先端を閉塞し、後端を開口可能に形成した箱形状のケース本体と、ケース本体を収納する収納袋から成り、且つ、該ケース本体の先端部には彫刻刀の刃先部を収容する複数の刃先収容部と、ケース本体のほぼ中央部には複数の彫刻刀を円滑に収納可能にする柄係止部を設け、且つ、該収納袋は上部表裏を係止部材で係止し、上部表側裏面部に図解表示図を挿着して設け、且つ、該収納袋の上側裏面部に複数の彫刻刀の種類を明記した表示図を表示し、彫刻刀の選択使用例を図解で表示し区別し易くした表示図を設け、且つ、彫刻刀使用時に収納袋の開口袋部を開き、裏返しにした際、彫刻刀の最適使用方法を表示した表示図が目視出来、且つ、収納袋の底部には、ケースを入れた収納袋が安定して直立可能にする為の補強部材付底面部を設け、彫刻刀の刃先を目視しながら横向き使用、傾斜使用、縦向き使用を可能にし、又、ケース本体の後端に設けた蓋部は、ヒンジ部を中心にして水平状態から下向きほぼ９０度に開口可能で、且つ、水平時は蓋の両端部に設けた爪部をケース本体両端に設けた下突起部にそれぞれ固定し、蓋の中央部に設けたストッパーをケース本体の底板上面に固定して水平を保持し、且つ、下向きほぼ９０度に開口時は、蓋の両端部に設けた爪部をケース本体両端に設けた上突起部にそれぞれ固定する事で、収納時及び使用時に蓋を確実に固定させて安定性を高めた事で、容器の構造が単純で刃先が目視出来、使い勝手が良く、初心者でも彫刻刀の最適使用方法が可能と成り、コスト的にも安価である等、極めて有益なる効果を奏するものである。
【考案を実施するための最良の形態】
【００１４】
この考案の最良の形態として、主に学童等が使用する事が多い為、単純な構造で使い勝手が良く、しかも軽くて持ち運び易く、安全で破損し難い寸法形状に形成する事が重要である。
【実施例１】
【００１５】
そこで、この考案の一実施例を図１〜図６に基づいて詳述すると、先端を閉塞し、後端を開口可能に形成した箱形状のケース本体（１）と、ケース本体を収納する収納袋（２）から成り、且つ、該ケース本体（１）の先端部には彫刻刀（Ｓ）の刃先（ＳＡ）部を収容する複数の刃先収容部（１ａ）と、ケース本体（１）のほぼ中央部には複数の彫刻刀（Ｓ）を円滑に収納可能にする柄（ＳＢ）係止部（１ｂ）を設け、且つ、該収納袋（２）は上部表裏を係止部材（Ｆ）で係止し、上部表側裏面部に図解表示図を挿着して設け、且つ、該収納袋（２）の上側裏面部に複数の彫刻刀の種類を明記した表示図（２ｄ）を表示し、彫刻刀の選択使用例を図解で表示し区別し易くした表示図（ＳＥ２）を設け、且つ、彫刻刀使用時に収納袋（２）の開口袋部（２ａ）（２ａ’）を開き、裏返しにした際、彫刻刀の最適使用方法を表示した表示図（ＳＥ２）が目視出来、且つ、収納袋（２）の底部には、ケースを入れた収納袋が安定して直立可能にする為の補強部材（２ｃ’）付底面部（２ｃ）を設け、彫刻刀（Ｓ）の刃先（ＳＡ）を目視しながら横向き使用、傾斜使用、縦向き使用を可能にした事を特徴とする彫刻刀収納ケースから構成される。
【００１６】
又、ケース本体（１）の後端に設けた蓋部（１’）は、ヒンジ部（１ｃ）を中心にして水平状態から下向きほぼ９０度に開口可能で、且つ、水平時は蓋（１’）の両端部に設けた爪部（１ｇ）（１ｇ）をケース本体（１）両端に設けた下突起部（１ｄ’）にそれぞれ固定し、蓋（１’）の中央部に設けたストッパー（１ｈ）をケース本体（１）の底板上面に固定して水平を保持し、且つ、下向きほぼ９０度に開口時は、蓋（１’）の両端部に設けた爪部（１ｇ）（１ｇ）をケース本体（１）両端に設けた上突起部（１ｄ）にそれぞれ固定する事で、収納時及び使用時に蓋を確実に固定させて安定性を高めた事を特徴とする彫刻刀収納ケースから構成される。
【００１７】
次に、この考案である彫刻刀収納ケースの寸法形状及び構造について説明すると、図１・図２に示す様に、寸法形状は縦寸法が約１６０ｍｍで、横寸法が約９０ｍｍで、厚さ寸法が約１７．５ｍｍの矩形状のケース本体（１）で、ケース本体（１）の中には５種類の刃先（ＳＡ）の彫刻刀（Ｓ）が収納出来る様に成っていて、ケース本体（１）の先端部は、図２（Ａ）に示す様に５等分に仕切られ、且つ、刃先（ＳＡ）が飛び出さない様係止部（１ａ’）を設けている。又、ケース本体の長手方向ほぼ中央部も同様に５等分の仕切り壁（１ｅ）をそれぞれ設け、且つ、該仕切り壁（１ｅ）部には彫刻刀（Ｓ）を円滑挿入可能にしたガイド部（１ｅ’）と、彫刻刀の柄部（ＳＢ）を確実に固定する為の突起部（１ｆ）をそれぞれ設けている。
【００１８】
又、ケース本体（１）は、図３（Ａ）（Ｂ）（Ｃ）に示す様に、後端部に設けたヒンジ部（１ｃ）を中心にして外側にほぼ９０度回動出来る様に成っていて、（Ａ）は水平状態時で、（Ｂ）は９０度回動時で、（Ｃ）は４５度回動時を示すと同時にケース本体の鋳型成形状態を示す。そして、本来であればケース本体の材質が弾性部材の為、一度開口しても元の状態に復帰しようとする作用が働く為、水平状態時は図３（Ａ）に示す様に爪部（１ｇ）が下突起部（１ｄ’）に当って固定され、且つ、ストッパー部（１ｈ）が底板上面に当って確実に固定される。又、９０度開口時も同様にして、爪部（１ｇ）が上突起部（１ｄ）に当って固定される様に成っている。
【００１９】
次に、収納袋（２）の寸法形状及び構造について説明すると、図４・図５・図６に示す様に、寸法形状は縦寸法が約１９０ｍｍで、横寸法が約１２０ｍｍで、厚さ寸法が約３０ｍｍで、上端部から約８０ｍｍの開口袋部（２ａ）（２ａ’）には左右両開閉用のファスナー等の係止部材（Ｆ）を係止して開閉可能とし、収納袋（２）の上側裏面部に透明又は半透明のビニール製の表示図挿入ポケット（２ｇ）を係止部材と一緒に縫着して設け、且つ、残りの下部は高さが約１１０ｍｍの透明又は半透明のビニール製の収納袋部（２ｂ）を上下一体に縫着して設け、彫刻刀（Ｓ）の刃先（ＳＡ）形状が目視可能に成っている。又、この収納袋（２）は底部を平底にし、且つ、外周部にビニールチューブ等の補強部材（２ｃ’）を固着し、立てて使用する時の安定性を良くしている。
【００２０】
又、ケース本体に複数本の彫刻刀を入れ、後端部の蓋部（１’）を水平状態に閉めると、彫刻刀の柄後端部がケース蓋部（１’）のＲ曲げ部（１ｉ）で固定される様に成っている。
【００２１】
そして、収納袋（２）の裏面下部には持ち主の名前等が記入出来る様、シール（ＳＥ１）が貼付されている。
【００２２】
又、収納袋（２）の開口袋部（２ａ）（２ａ’）を開いた時は、図７に示す様に、彫刻刀の選定方法を示す表示図（ＳＥ２）が透明又は半透明の挿入ポケット（２ｇ）に挿着されていて、初心者でも彫刻刀の選定が一目で出来る様に成っている。更に、その表示図は慣れてきて不要になれば、表示図挿入ポケット（２ｇ）から除去出来る様に成っている。
【００２３】
又、収納袋（２）の右上部には鎖やストラップ等のアクセサリー（ＡＣ）が係止可能な係止部（２ｆ）を設け、使い勝手を良くしている。
【００２４】
次に、この考案の使用方法について説明すると、横向きに寝かせて使用する場合と、ケース本体（１）の後端部をヒンジ部（１ｃ）から９０度開口し、斜めに傾斜させて使用する場合と、立てた状態で使用する場合の３通りの使用方法が可能であり、何れもケースごと収納袋に入れたままの状態で、開口袋部（２ａ）（２ａ’）のファスナーを開いて使用する。
【産業上の利用可能性】
【００２５】
この考案の彫刻刀収納ケースは容器の構造が単純で刃先が目視出来、使い勝手が良く、コスト的にも安価である為、学童や工芸家等、多くの市場に寄与する点で産業上の利用可能性を有する。
【図面の簡単な説明】
【００２６】
【図１】この考案の一実施例を示し、ケース本体の平面図である。
【図２】この考案の一実施例を示し、（Ａ）は図１のａ−ａ矢視断面図で、（Ｂ）はｂ−ｂ矢視  断面図で、（Ｃ）はｃ−ｃ矢視断面図で、（Ｄ）はｄ−ｄ矢視断面図である。
【図３】この考案の一実施例を示し、（Ａ）はケース本体の水平状態時の一部欠截側面図で、（Ｂ）は９０度回動状態時の側面図で、（Ｃ）は４５度回動時の一部欠截側面図である。
【図４】この考案の一実施例を示し、全体収納状態を表す一部欠截正面図である。
【図５】この考案の一実施例を示し、全体収納状態を表す一部欠截背面図である。
【図６】この考案の一実施例を示し、全体収納状態を表す右側面図である。
【図７】この考案の使用例を示し、縦向き使用の正面図である。
【符号の説明】
【００２７】
１  ケース本体
１’  蓋部
１ａ  刃先収容部
１ａ’  刃先係止部
１ｂ  柄係止部
１ｃ  ヒンジ部
１ｄ  上突起部
１ｄ’  下突起部
１ｅ  仕切り壁
１ｅ’  ガイド部
１ｆ  突起部
１ｇ  爪部
１ｈ  ストッパー部
１ｉ  Ｒ曲げ部
２  収納袋
２ａ  開口袋部（表側）
２ａ’  開口袋部（裏側）
２ｂ  収納袋部
２ｃ  底面部
２ｃ’  補強部材
２ｄ  表示図
２ｅ  刃形マーク
２ｆ  係止部
２ｇ  挿入ポケット
ＡＣ  アクセサリー
Ｆ  係止部材
Ｓ  彫刻刀
ＳＡ  刃先
ＳＢ  柄
ＳＥ１  シール
ＳＥ２  表示図
【図１】
0003113836.tif 000003
【図２】
0003113836.tif 000004
【図３】
0003113836.tif 000005
【図４】
0003113836.tif 000006
【図５】
0003113836.tif 000007
【図６】
0003113836.tif 000008
【図７】
0003113836.tif 000009